(57)【要約】【課題】印刷ジョブの内容が当該印刷ジョブを入力したユーザーとは他のユーザーに漏洩する虞を低減する。【解決手段】ジョブ管理装置１に、情報を表示する表示部３１と、ユーザーが画像形成装置１の使用を予め許可されているか否かを判定する認証部１１と、画像形成装置１において受け付けられた印刷ジョブＪ１〜Ｊ７のうち、実行中及び実行前の印刷ジョブＪ２〜Ｊ４の内容を実行順に並べて表示部３１に表示するジョブ表示処理を実行し、ジョブ表示処理において、認証部１１によって使用を予め許可されていると判定された認証ユーザーが入力した印刷ジョブＪ４の内容を識別可能に表示する一方、認証ユーザーとは他のユーザーが入力した印刷ジョブＪ２、Ｊ３の内容を識別不可能に表示するジョブ表示処理部１４と、を備える。【選択図】図６
2015120291.tif 000002
【特許請求の範囲】
【請求項１】
情報を表示する表示部と、
ユーザーが画像形成装置の使用を予め許可されているか否かを判定する認証部と、
前記画像形成装置において受け付けられた印刷ジョブのうち、実行中及び実行前の前記印刷ジョブの内容を実行順に並べて前記表示部に表示するジョブ表示処理を実行し、前記ジョブ表示処理において、前記認証部によって前記使用を予め許可されていると判定された認証ユーザーが入力した前記印刷ジョブの内容を識別可能に表示する一方、前記認証ユーザーとは他のユーザーが入力した前記印刷ジョブの内容を識別不可能に表示するジョブ表示処理部と、
を備えるジョブ管理装置。
【請求項２】
前記ジョブ表示処理部は、前記ジョブ表示処理において、実行中の前記印刷ジョブの内容と当該印刷ジョブが実行中であることを示す情報とを対応付けて表示し、実行前の前記印刷ジョブの内容と当該印刷ジョブが実行前であることを示す情報とを対応付けて表示する請求項１に記載のジョブ管理装置。
【請求項３】
前記印刷ジョブの実行によって排出された用紙が排出トレイに載置されているか否かを検知する載置検知部と、
前記載置検知部により前記用紙が載置されていることが検知された場合、前記排出された用紙が前記排出トレイに載置された状態を示す排紙画像を前記表示部に表示する排紙状況表示部と、
を更に備える請求項１又は２に記載のジョブ管理装置。
【請求項４】
前記排出トレイに載置されている用紙の向きを検出する載置方向検出部を更に備え、
前記排紙状況表示部は、前記排紙画像を表示する場合に、前記排紙画像を前記載置方向検出部によって検出された用紙の向きに合わせて表示する請求項３に記載のジョブ管理装置。
【請求項５】
前記印刷ジョブには、当該印刷ジョブの実行によって排出される用紙の向きを示す排紙方向情報と、当該印刷ジョブの実行によって用紙に形成される対象の画像と、が含まれ、
前記ジョブ表示処理部は、前記ジョブ表示処理において、前記印刷ジョブに含まれる前記画像を示すサムネイル画像を、前記印刷ジョブに含まれる前記排紙方向情報が示す用紙の向きに合わせて表示する請求項１から４の何れか一項に記載のジョブ管理装置。
【請求項６】
前記ジョブ表示処理部は、更に、前記排紙方向情報が示す用紙の向きを切り替える操作を行わせるためのソフトキーを表示する請求項５に記載のジョブ管理装置。
【請求項７】
前記印刷ジョブには、当該印刷ジョブの実行によって画像が形成された用紙を、用紙の表側を上面にしたフェイスアップ状態で排出するか又は用紙の表側を下面にしたフェイスダウン状態で排出するかを示す排紙面情報が含まれ、
前記ジョブ表示処理部は、前記ジョブ表示処理において、前記印刷ジョブに含まれる前記排紙面情報に基づいて、当該印刷ジョブの内容と、当該印刷ジョブの実行によって画像が形成された用紙を前記フェイスアップ状態で排紙することを示す情報又は前記フェイスダウン状態で排出することを示す情報と、を対応付けて表示する請求項１から６の何れか一項に記載のジョブ管理装置。
【請求項８】
前記ジョブ表示処理部は、更に、前記排紙面情報情報が示す、用紙を前記フェイスアップ状態で排出するか又は用紙を前記フェイスダウン状態で排出するかを切り替える操作を行わせるためのソフトキーを表示する請求項７に記載のジョブ管理装置。
【発明の詳細な説明】
【技術分野】
【０００１】
本発明は、印刷ジョブの内容を表示するジョブ管理装置に関する。
【背景技術】
【０００２】
従来から、例えば、下記特許文献１乃至３に記載されているように、画像形成装置において受け付けられた印刷ジョブの内容や印刷ジョブの実行状況を、画像形成装置に備えられた表示部や、外部装置に備えられた表示部に表示する技術が知られている。例えば、下記特許文献１乃至３には、印刷ジョブの内容として、印刷ジョブを入力したユーザーのユーザー名（オーナー名）や、印刷対象の画像を示すサムネイル画像（プレビュー画像）や、印刷対象のドキュメント名等を表示することが開示されている。
【先行技術文献】
【特許文献】
【０００３】
【特許文献１】特開平７−２６１９５０号公報
【特許文献２】特開平１０−１８７４０１号公報
【特許文献３】特開２０００−８９９２３号公報
【発明の概要】
【発明が解決しようとする課題】
【０００４】
しかし、上記特許文献１乃至３に記載された技術では、画像形成装置又は外部装置の表示部を視認しているユーザーが入力した印刷ジョブの内容と当該ユーザーとは他のユーザーが入力した印刷ジョブの内容とを同様に表示する。このため、表示部を視認しているユーザーとは他のユーザーが入力した印刷ジョブの内容が、表示部を視認しているユーザーに漏洩する虞があった。
【０００５】
本発明は、このような事情に鑑みてなされたものであり、印刷ジョブの内容が当該印刷ジョブを入力したユーザーとは他のユーザーに漏洩する虞を低減することができるジョブ管理装置を提供することを目的とする。
【課題を解決するための手段】
【０００６】
本発明に係るジョブ管理装置は、情報を表示する表示部と、ユーザーが画像形成装置の使用を予め許可されているか否かを判定する認証部と、前記画像形成装置において受け付けられた印刷ジョブのうち、実行中及び実行前の前記印刷ジョブの内容を実行順に並べて前記表示部に表示するジョブ表示処理を実行し、前記ジョブ表示処理において、前記認証部によって前記使用を予め許可されていると判定された認証ユーザーが入力した前記印刷ジョブの内容を識別可能に表示する一方、前記認証ユーザーとは他のユーザーが入力した前記印刷ジョブの内容を識別不可能に表示するジョブ表示処理部と、を備える。
【０００７】
この構成によれば、実行中及び実行前の印刷ジョブの内容のうち、認証ユーザーが入力した印刷ジョブの内容は識別可能に表示されるが、認証ユーザーとは他のユーザーが入力した印刷ジョブの内容は識別不可能に表示される。このため、認証ユーザーは、他のユーザーが入力した印刷ジョブの内容を識別することができない。これにより、認証ユーザーとは他のユーザーが入力した印刷ジョブの内容が認証ユーザーに漏洩する虞を低減することができる。つまり、印刷ジョブの内容が当該印刷ジョブを入力したユーザーとは他のユーザーに漏洩する虞を低減することができる。
【０００８】
また、前記ジョブ表示処理部は、前記ジョブ表示処理において、実行中の前記印刷ジョブの内容と当該印刷ジョブが実行中であることを示す情報とを対応付けて表示し、実行前の前記印刷ジョブの内容と当該印刷ジョブが実行前であることを示す情報とを対応付けて表示することが好ましい。
【０００９】
この構成によれば、認証ユーザーは、自身の入力した印刷ジョブの内容に対応付けて表示されている、印刷ジョブが実行中であることを示す情報又は印刷ジョブが実行前であることを示す情報を視認することによって、自身の入力した印刷ジョブが実行中であるか実行前であるかを容易に把握することができる。
【００１０】
また、前記印刷ジョブの実行によって排出された用紙が排出トレイに載置されているか否かを検知する載置検知部と、前記載置検知部により前記用紙が載置されていることが検知された場合、前記排出された用紙が前記排出トレイに載置された状態を示す排紙画像を前記表示部に表示する排紙状況表示部と、を更に備えることが好ましい。
【００１１】
この構成によれば、認証ユーザーは、自身の入力した実行中又は実行前の印刷ジョブの内容が表示部に表示され、且つ、排紙画像が表示部に表示されている場合、自身の入力した印刷ジョブの実行によって排出される用紙が、排出トレイに積載された用紙の最下部ではなく、上部に積載されることを把握することができる。
【００１２】
これにより、認証ユーザーは、排出トレイに積載された用紙から自身の入力した印刷ジョブによって排出された用紙を取得するときに、取得する対象の用紙を、排出トレイの上方に積載されている用紙に制限することができる。その結果、認証ユーザーが排出トレイに積載された用紙から自身の入力した印刷ジョブによって排出された用紙を取得するときの手間を軽減することができ、また、他のユーザーの用紙と自分の用紙との取り間違えを軽減することができる。これにより、用紙の取り間違えによって、印刷ジョブの内容が当該印刷ジョブを入力したユーザーとは他のユーザーに漏洩する虞も低減することができる。
【００１３】
また、前記排出トレイに載置されている用紙の向きを検出する載置方向検出部を更に備え、前記排紙状況表示部は、前記排紙画像を表示する場合に、前記排紙画像を前記載置方向検出部によって検出された用紙の向きに合わせて表示することが好ましい。
【００１４】
この構成によれば、認証ユーザーは、自身の入力した実行前の印刷ジョブの内容が表示部に表示され、且つ、排紙画像が表示部に表示されている場合、自身の入力した印刷ジョブの実行によって排出される用紙の向きが、排出トレイにすでに積載された用紙の向きと同じか否かを把握することができる。
【００１５】
これにより、認証ユーザーは、排出トレイに積載された用紙から自身の入力した印刷ジョブによって排出された用紙を取得するときに、当該把握内容に応じて、取得する対象の用紙を、排出トレイに積載されている用紙のうち、排紙画像と同じ向き又は異なる向きに積載されている用紙に制限することができる。その結果、認証ユーザーが排出トレイに積載された用紙から自身の入力した印刷ジョブによって排出された用紙を取得するときの手間を軽減することができ、また、他のユーザの用紙と自分の用紙との取り間違えを軽減することができる。これにより、用紙の取り間違えによって、印刷ジョブの内容が当該印刷ジョブを入力したユーザーとは他のユーザーに漏洩する虞も低減することができる。
【００１６】
また、前記印刷ジョブには、当該印刷ジョブの実行によって排出される用紙の向きを示す排紙方向情報と、当該印刷ジョブの実行によって用紙に形成される対象の画像と、が含まれ、前記ジョブ表示処理部は、前記ジョブ表示処理において、前記印刷ジョブに含まれる前記画像を示すサムネイル画像を、前記印刷ジョブに含まれる前記排紙方向情報が示す用紙の向きに合わせて表示することが好ましい。
【００１７】
この構成によれば、認証ユーザーは、サムネイル画像を視認して、サムネイル画像が表示されている向きを把握することによって、自身の入力した印刷ジョブの実行によって用紙が排出されるときの用紙の向きを把握することができる。
【００１８】
これにより、認証ユーザーは、排出トレイに積載された用紙から自身の入力した印刷ジョブによって排出された用紙を取得するときに、取得する対象の用紙を、排出トレイに積載されている用紙のうち、上記の把握した向きに積載されている用紙に制限することができる。その結果、認証ユーザーが排出トレイに積載された用紙から自身の入力した印刷ジョブによって排出された用紙を取得するときの手間を軽減することができ、また、他のユーザーの用紙と自分の用紙との取り間違えを軽減することができる。これにより、用紙の取り間違えによって、印刷ジョブの内容が当該印刷ジョブを入力したユーザーとは他のユーザーに漏洩する虞も低減することができる。
【００１９】
また、前記ジョブ表示処理部は、更に、前記排紙方向情報が示す用紙の向きを切り替える操作を行わせるためのソフトキーを表示することが好ましい。
【００２０】
この構成によれば、認証ユーザーは、当該ソフトキーを操作することによって、自身の入力した印刷ジョブの実行によって用紙が排出されるときの用紙の向きを変更することができる。
【００２１】
これにより、認証ユーザーは、排出トレイに積載された用紙から自身の入力した印刷ジョブによって排出された用紙を取得するときに、取得する対象の用紙を、排出トレイに積載されている用紙のうち、上記変更後の向きに積載されている用紙に制限することができる。その結果、認証ユーザーが排出トレイに積載された用紙から自身の入力した印刷ジョブによって排出された用紙を取得するときの手間を軽減することができ、また、他のユーザーの用紙と自分の用紙との取り間違えを軽減することができる。これにより、用紙の取り間違えによって、印刷ジョブの内容が当該印刷ジョブを入力したユーザーとは他のユーザーに漏洩する虞も低減することができる。
【００２２】
また、前記印刷ジョブには、当該印刷ジョブの実行によって画像が形成された用紙を、用紙の表側を上面にしたフェイスアップ状態で排出するか又は用紙の表側を下面にしたフェイスダウン状態で排出するかを示す排紙面情報が含まれ、前記ジョブ表示処理部は、前記ジョブ表示処理において、前記印刷ジョブに含まれる前記排紙面情報に基づいて、当該印刷ジョブの内容と、当該印刷ジョブの実行によって画像が形成された用紙を前記フェイスアップ状態で排紙することを示す情報又は前記フェイスダウン状態で排出することを示す情報と、を対応付けて表示することが好ましい。
【００２３】
この構成によれば、認証ユーザーは、自身の入力した印刷ジョブの内容に対応付けて表示されている、用紙をフェイスアップ状態で排出することを示す情報又は用紙をフェイスダウン状態で排出することを示す情報を視認することによって、自身の入力した印刷ジョブの実行によって排出される用紙がフェイスアップ状態で排紙されるか、又はフェイスダウン状態で排出されるかを把握することができる。
【００２４】
これにより、認証ユーザーは、排出トレイに積載された用紙から自身の入力した印刷ジョブによって排出された用紙を取得するときに、取得する対象の用紙を、排出トレイに積載されている用紙のうち、上記の把握した状態で積載されている用紙に制限することができる。その結果、認証ユーザーが排出トレイに積載された用紙から自身の入力した印刷ジョブによって排出された用紙を取得するときの手間を軽減することができ、また、他のユーザーの用紙と自分の用紙との取り間違えを軽減することができる。これにより、用紙の取り間違えによって、印刷ジョブの内容が当該印刷ジョブを入力したユーザーとは他のユーザーに漏洩する虞も低減することができる。
【００２５】
また、前記ジョブ表示処理部は、更に、前記排紙面情報情報が示す、用紙を前記フェイスアップ状態で排出するか又は用紙を前記フェイスダウン状態で排出するかを切り替える操作を行わせるためのソフトキーを表示することが好ましい。
【００２６】
この構成によれば、認証ユーザーは、当該ソフトキーを操作することによって、自身の入力した印刷ジョブの実行によって排出される用紙をフェイスアップ状態で排出するか又はフェイスダウン状態で排出するかを変更することができる。
【００２７】
これにより、認証ユーザーは、排出トレイに積載された用紙から自身の入力した印刷ジョブによって排出された用紙を取得するときに、取得する対象の用紙を、排出トレイに積載されている用紙のうち、上記変更後の状態で積載されている用紙に制限することができる。その結果、認証ユーザーが排出トレイに積載された用紙から自身の入力した印刷ジョブによって排出された用紙を取得するときの手間を軽減することができ、また、他のユーザーの用紙と自分の用紙との取り間違えを軽減することができる。これにより、用紙の取り間違えによって、印刷ジョブの内容が当該印刷ジョブを入力したユーザーとは他のユーザーに漏洩する虞も低減することができる。
【発明の効果】
【００２８】
本発明によれば、印刷ジョブの内容が当該印刷ジョブを入力したユーザーとは他のユーザーに漏洩する虞を低減することができるジョブ管理装置を提供することができる。
【図面の簡単な説明】
【００２９】
【図１】本発明に係るジョブ管理装置及び画像形成装置の一実施形態に係る複合機とコンピューターとの接続関係を示す図である。
【図２】複合機の概略構造図である。
【図３】複合機の電気的構成を示すブロック図である。
【図４】排紙検知センサーの配置の一例を示す図である。
【図５】ジョブ表示処理部及び排紙状況表示部によって表示部に表示された内容の第１例を示す図である。
【図６】ジョブ表示処理部及び排紙状況表示部によって表示部に表示された内容の第２例を示す図である。
【図７】ジョブ表示処理部及び排紙状況表示部によって表示部に表示された内容の第３例を示す図である。
【図８】ジョブ表示処理部及び排紙状況表示部によって表示部に表示された内容の第４例を示す図である。
【図９】ジョブ表示処理部及び排紙状況表示部によって表示部に表示された内容の第５例を示す図である。
【図１０】ジョブ表示処理部及び排紙状況表示部によって表示部に表示された内容の第６例を示す図である。
【図１１】排紙検知センサーの配置の図４とは別の一例を示す図である。
【図１２】ジョブ表示処理部及び排紙状況表示部によって表示部に表示された内容の第７例を示す図である。
【発明を実施するための形態】
【００３０】
以下、本発明に係る実施形態を図面に基づいて説明する。図１は、本発明に係るジョブ管理装置及び画像形成装置の一実施形態に係る複合機１とコンピューターＥＣとの接続関係を示す図である。
【００３１】
図１に示すように、複合機１は、ＬＡＮ（Ｌｏｃａｌ  Ａｒｅａ  Ｎｅｔｗｏｒｋ）やインターネット等のネットワーク７９に接続されている。複合機１は、ネットワーク７９を介してパーソナルコンピューター等の複数のコンピューターＥＣ１〜ＥＣ３との間で通信を行う。尚、ネットワーク７９を介して複合機１に接続されるコンピューターの台数は、３台に限定する趣旨ではなく、１台、２台、又は４台以上であってもよい。以下では、コンピューターＥＣ１〜ＥＣ３を総称して、コンピューターＥＣと示す。
【００３２】
図２は、複合機１の概略構造図である。図３は、複合機１の電気的構成を示すブロック図である。具体的には、複合機１は、図２に示すように、操作部３と、原稿読取部５と、原稿給送部６と、本体部２と、を備えている。
【００３３】
操作部３は、情報を表示する表示部３１と、ユーザーに各種指示の入力操作を行わせるための操作キー部３２とを備えている。表示部３１は、例えばタッチパネル機能を有する液晶ディスプレイ等によって構成されている。操作キー部３２は、例えばユーザーが印刷実行指示を入力するためのスタートキーや、印刷部数等を入力するためのテンキー等の各種ハードキーを備えている。
【００３４】
原稿読取部５は、露光ランプ及びＣＣＤ（Ｃｈａｒｇｅ  Ｃｏｕｐｌｅｄ  Ｄｅｖｉｃｅ）等からなるスキャナー部５１と、ガラス等の透明部材により構成された原稿台５２及び原稿読取スリット５３と、を備えている。
【００３５】
スキャナー部５１は、図略の駆動部によって移動可能に構成されている。スキャナー部５１は、原稿台５２に載置された原稿を読み取る場合、原稿台５２に対向する位置で原稿面に沿って移動する。そして、スキャナー部５１は、原稿を走査しつつ読み取った画像を示す画像データを後述する制御部１０へ出力する。
【００３６】
一方、スキャナー部５１は、原稿給送部６により給送された原稿を読み取る場合、原稿読取スリット５３と対向する位置に移動する。そして、スキャナー部５１は、原稿給送部６による原稿の搬送動作と同期して、原稿読取スリット５３を介して原稿の画像を読み取り、読み取った画像を示す画像データを後述する制御部１０へ出力する。
【００３７】
原稿給送部６は、原稿を載置するための原稿載置部６１と、スキャナー部５１によって画像が読み取られた後の原稿が排出される原稿排出部６２と、原稿搬送機構６３と、を備えている。原稿搬送機構６３は、原稿載置部６１に載置された原稿を１枚ずつ繰り出した後、当該原稿を原稿読取スリット５３に対向する位置を介して原稿排出部６２へ排出する。
【００３８】
本体部２は、手差トレイ４６０と、複数の給紙カセット４６１と、複数の給紙ローラー４６２と、画像形成部４と、排出部８と、通信部７と、排紙検知センサー（載置検知部）９と、制御部１０と、を備えている。
【００３９】
給紙ローラー４６２は、用紙が載置された手差トレイ４６０や、用紙が収容された給紙カセット４６１から用紙を引き出して、画像形成部４へ用紙を搬送する。
【００４０】
画像形成部４は、用紙搬送部４１と、光走査装置４２と、感光体ドラム４３と、現像部４４と、転写部４５と、定着部４６と、を備えている。
【００４１】
用紙搬送部４１は、複数の搬送ローラー４１３を備えている。各搬送ローラー４１３は、各給紙ローラー４６２によって搬送されてきた用紙を感光体ドラム４３に供給する。
【００４２】
光走査装置４２は、制御部１０による制御の下、制御部１０に入力された画像データに基づいてレーザー光を出力する。光走査装置４２は、当該出力したレーザー光によって感光体ドラム４３を走査することによって、感光体ドラム４３上に静電潜像を形成する。
【００４３】
現像部４４は、感光体ドラム４３上の静電潜像にトナーを付着させてトナー像を形成する。転写部４５は、感光体ドラム４３上のトナー像を用紙に転写する。定着部４６は、トナー像が転写された用紙を加熱してトナー像を用紙に定着させる。
【００４４】
排出部８は、画像が形成された用紙が排出される排出トレイ８３と、排出ローラー８２と、反転ローラー８１と、を備えている。
【００４５】
排出ローラー８２は、画像形成部４によって画像が形成された用紙を、当該用紙の表側を下面にしたフェイスダウン状態で排出トレイ８３へ排出する。尚、用紙の表側とは、用紙が給紙カセット４６１に収容されているときにおける用紙の上面側を示す。
【００４６】
または、排出ローラー８２は、用紙の表側を上面にしたフェイスアップ状態で用紙を排出トレイ８３へ排出する。フェイスアップ状態で用紙を排出する場合、画像形成部４は、用紙を反転ローラー８１に搬送する。その後、反転ローラー８１は、用紙後端をニップした状態で停止する。その後、反転ローラー８１は、反転することによって、当該ニップした用紙を排出ローラー８２側へスイッチバックさせ、排出ローラー８２は、排出トレイ８３にフェイスアップ状態で用紙を排出する。
【００４７】
また、用紙の両面に画像を形成する場合は、反転ローラー８１は、スイッチバックすることなく用紙を用紙搬送路Ｌに送り、画像形成部４の上流域まで再度搬送する。そして、画像形成部４によって用紙の裏面に画像が形成される。その後、排出ローラー８２は、画像形成部４から送り出された用紙の表側を上面にしたフェイスアップ状態で、用紙を排出トレイ８３へ排出する。
【００４８】
通信部７は、図３に示すように、ネットワークＩ／Ｆ部７１を備えている。ネットワークＩ／Ｆ部７１は、ネットワーク７９に接続されたコンピューターＥＣ（図１）との間で通信を行うための通信インターフェイス回路である。
【００４９】
排紙検知センサー９は、排出トレイ８３に用紙が載置されているか否かを検知する。排紙検知センサー９は、例えば、発光素子と受光素子とを備えた反射型フォトセンサーで構成されている。具体的には、発光素子から出力された光が排出トレイ８３に載置された用紙で反射されたことにより、受光素子で受光されたとする。この場合、排紙検知センサー９は、排出トレイ８３に用紙が載置されていることを示す検知信号を制御部１０へ出力する。一方、発光素子から出力された光が反射されず、受光素子で受光されなかったとする。この場合、排紙検知センサー９は、排出トレイ８３に用紙が載置されていないことを示す検知信号を制御部１０へ出力する。
【００５０】
図４は、排紙検知センサー９の配置の一例を示す図である。図４において、Ｘ方向は、図２の紙面に直行する方向に相当し、Ｙ方向は、図２の紙面における左右方向に相当する。以下、Ｘ方向を縦方向、Ｙ方向を横方向と示す。図４に示すように、排紙検知センサー９は、排出トレイ８３の底面の中央付近に設けられている。これにより、排紙検知センサー９は、後述するように、縦向きにして（Ｘ方向を用紙の長手側にして）排出された用紙Ｐ１及び横向きにして（Ｙ方向を用紙の長手側にして）排出された用紙Ｐ２のどちらが排出トレイ８３に載置されたとしても、排出トレイ８３に用紙が載置されていることを検知する。
【００５１】
尚、排紙検知センサー９は、反射型フォトセンサーに限らない。排紙検知センサー９は、例えば、バネ等で上方に付勢された突起物を備え、当該突起物が用紙に触れて下に移動した場合に、用紙が積載されていることを検知する機械的なセンサーであってもよい。
【００５２】
制御部１０は、複合機１全体の動作を司る。制御部１０は、例えば、所定の演算処理を実行するＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不揮発性メモリーと、データを一時的に記憶するＲＡＭ（Ｒａｎｄｏｍ  Ａｃｃｅｓｓ  Ｍｅｍｏｒｙ）と、これらの周辺回路等とを備えている。
【００５３】
制御部１０は、不揮発性メモリーに記憶された制御プログラムをＣＰＵに実行させることによって、図３の実線部に示す、認証部１１、ジョブ受付部１２、印刷制御部１３、ジョブ表示処理部１４、及び排紙状況表示部１５を構成する。
【００５４】
認証部１１は、ユーザーが複合機１の使用を予め許可されているか否かを判定する。不揮発性メモリーには、複合機１の使用を予め許可されているユーザーのユーザー名とパスワードの組み合わせが予め記憶されている。認証部１１は、操作キー部３２の操作によって入力されたユーザー名及びパスワードの組み合わせが、不揮発性メモリーに記憶されているユーザー名とパスワードの組み合わせに一致する場合、当該入力を行ったユーザーが複合機１の使用を予め許可されていると判定する。一方、認証部１１は、操作キー部３２の操作によって入力されたユーザー名及びパスワードの組み合わせが、不揮発性メモリーに記憶されているユーザー名とパスワードの組み合わせに一致しなかった場合、当該入力を行ったユーザーが複合機１の使用を予め許可されていないと判定する。
【００５５】
尚、認証部１１によるユーザーが複合機１の使用を予め許可されているか否かの判定方法は、上記方法に限定されない。例えば、ユーザー名を含むユーザー情報を記憶しているＩＣカードから、当該記憶されているユーザー情報を読み取り可能なカードリーダーを複合機１に設けてもよい。これに合わせて、認証部１１は、当該カードリーダーを用いてＩＣカードから読み取ったユーザー情報に含まれるユーザー名が、不揮発性メモリーに予め記憶されているユーザー名に一致するか否かによって上記判定を行ってもよい。
【００５６】
ジョブ受付部１２は、複合機１に対する印刷ジョブを受け付ける。具体的には、ジョブ受付部１２は、操作キー部３２を用いて印刷ジョブが入力された場合に、当該入力された印刷ジョブを受け付ける。また、ジョブ受付部１２は、通信部７がコンピューターＥＣによって送信された複合機１に対する印刷ジョブを受信した場合に、当該受信された印刷ジョブを受け付ける。
【００５７】
印刷ジョブは、画像形成部４によって画像を用紙に形成させ、当該画像が形成された用紙を排出部８によって排出トレイ８３へ排出させるジョブである。印刷ジョブには、例えば、当該印刷ジョブを入力したユーザーのユーザー名や、画像を用紙の片面に形成させるか両面に形成させるかを示す指示及び印刷部数等の各種印刷条件や、用紙に形成させる対象の画像等が含まれる。また、印刷ジョブには、画像が形成された用紙を排出するときの用紙の向きを示す排紙方向情報、画像が形成された用紙をフェイスアップ状態で排出するか又はフェイスダウン状態で排出するかを示す排紙面情報、印刷ジョブを実行する順番を優先することを指示する優先情報等の付加情報が含まれる。
【００５８】
印刷制御部１３は、ジョブ受付部１２によって印刷ジョブが受け付けられると、当該受け付けられた順に印刷ジョブを実行する。つまり、印刷ジョブの実行順は、ジョブ受付部１２による印刷ジョブの受付順となっている。尚、印刷ジョブの実行順は、印刷ジョブの受付順に限定されない。例えば、印刷制御部１３は、優先情報が含まれていない印刷ジョブに優先して、優先情報が含まれている印刷ジョブを実行する等してよい。
【００５９】
印刷制御部１３は、印刷ジョブを実行する場合、当該印刷ジョブの内容に基づいて、画像形成部４によって用紙に画像を形成させ、当該画像が形成された用紙を排出部８によって排出トレイ８３へ排出させる。
【００６０】
例えば、印刷ジョブに、用紙の片面に画像を形成させる指示を含む印刷条件、用紙を横向きにして排出することを示す排紙方向情報、及び、用紙をフェイスアップ状態で排出することを示す排紙面情報が含まれていたとする。
【００６１】
この場合、印刷制御部１３は、排紙方向情報に基づき、用紙を横向きにした状態で収容している給紙カセット４６１から画像形成部４へ用紙を搬送させる。そして、印刷制御部１３は、印刷条件に基づき、画像形成部４によって用紙の表側に画像を形成させる。その後、印刷制御部１３は、排紙面情報に基づき、フェイスアップ状態で用紙を排出させるために、当該画像が形成された用紙を反転ローラー８１によってスイッチバックさせ、排出ローラー８２によって当該用紙をフェイスアップ状態で排出トレイ８３へ排出させる。
【００６２】
または、例えば、印刷ジョブに、用紙の片面に画像を形成させる指示を含む印刷条件が含まれ、排紙方向情報、及び、排紙面情報が含まれていなかったとする。
【００６３】
この場合、印刷制御部１３は、縦向き及び横向きのうち何れかの予め定められた向きにした状態で用紙を収容している給紙カセット４６１から、画像形成部４へ用紙を搬送させる。予め定められた向きは、操作キー部３２を用いて予め初期設定され、不揮発性メモリーに記憶されている。以下の説明では、予め定められた向きは、縦向きであるとする。
【００６４】
そして、印刷制御部１３は、画像形成部４によって用紙の表側に画像を形成させる。その後、印刷制御部１３は、排出ローラー８２によって、画像形成部４から搬送されてきた用紙を、フェイスアップ状態及びフェイスダウン状態のうち何れかの予め定められた状態で排出トレイ８３へ排出させる。予め定められた状態は、操作キー部３２を用いて予め初期設定され、不揮発性メモリーに記憶されている。以下の説明では、予め定められた状態は、フェイスダウン状態であるとする。
【００６５】
ジョブ表示処理部１４は、ジョブ受付部１２によって受け付けられた印刷ジョブのうち、実行中及び実行前の印刷ジョブの内容を実行順に並べて表示部３１に表示するジョブ表示処理を実行する。ジョブ表示処理部１４は、ジョブ表示処理において、認証部１１によって複合機１の使用を予め許可されていると判定された認証ユーザーが入力した印刷ジョブの内容を識別可能に表示する。一方、ジョブ表示処理部１４は、ジョブ表示処理において、認証ユーザーとは他のユーザーが入力した印刷ジョブの内容を識別不可能に表示する。
【００６６】
排紙状況表示部１５は、排紙検知センサー９により、排出トレイ８３に用紙が載置されていることが検知された場合、排出された用紙が排出トレイ８３に載置された状態を示す排紙画像を表示部３１に表示する。
【００６７】
以下、ジョブ表示処理部１４及び排紙状況表示部１５の詳細について説明する。図５乃至図１０は、それぞれ、ジョブ表示処理部１４及び排紙状況表示部１５によって表示部３１に表示された内容の一例を示す図である。
【００６８】
当該説明では、ジョブ受付部１２が７つの印刷ジョブを受け付けたものとする。また、印刷制御部１３は、１６時２２分に、１番目に受け付けられた印刷ジョブを実行開始するものとする。また、ユーザー「ＵＳＥＲ  Ａ」は、１６時２２分に、認証部１１によって複合機１の使用を予め許可されていると判定されるものとする。また、ユーザー「ＵＳＥＲ  Ａ」が入力した印刷ジョブは、上記７つの印刷ジョブのうち、４番目に受け付けられた印刷ジョブであり、１６時２１分に受け付けられたものとする。また、上記７つの印刷ジョブを実行順（受付順）に印刷ジョブＪ１〜Ｊ７と示す。
【００６９】
１６時２２分に、認証部１１によってユーザー「ＵＳＥＲ  Ａ」が複合機１の使用を予め許可されていると判定されると、ジョブ表示処理部１４は、ジョブ表示処理の実行を開始する。ジョブ表示処理部１４は、当該ジョブ表示処理において、ジョブ受付部１２によって受け付けられた７つの印刷ジョブＪ１〜Ｊ７のうち、１〜３番目に受け付けられた実行中及び実行前の３つの印刷ジョブＪ１〜Ｊ３の内容を実行順に表示部３１に表示する。
【００７０】
ここで、印刷ジョブＪ１〜Ｊ３は、認証部１１によって複合機１の使用を予め許可されていると判定された認証ユーザー（ユーザー「ＵＳＥＲ  Ａ」）とは他のユーザーが入力した印刷ジョブである。ジョブ表示処理部１４は、他のユーザーが入力した印刷ジョブＪ１〜Ｊ３の内容については識別不可能に表示部３１に表示する。
【００７１】
具体的には、図５に示すように、ジョブ表示処理部１４は、各印刷ジョブＪ１〜Ｊ３に含まれている、各印刷ジョブＪ１〜Ｊ３を入力したユーザーのユーザー名ＪＵ１〜ＪＵ３を識別不可能に表示する。ユーザー名ＪＵ１〜ＪＵ３を識別不可能に表示するとは、ユーザー名ＪＵ１〜ＪＵ３を示す文字列に代えて、ユーザー名ＪＵ１〜ＪＵ３を示さない所定の文字列「ｘｘｘｘｘ」を表示することによって、ユーザー名ＪＵ１〜ＪＵ３を識別不可能にすることを示す。
【００７２】
また、ジョブ表示処理部１４は、各印刷ジョブＪ１〜Ｊ３に含まれている、用紙に形成させる対象の画像のうち、最初に用紙に形成させる対象の画像を示すサムネイル画像ＪＣ１〜ＪＣ３を生成する。印刷ジョブＪ１〜Ｊ３は他のユーザーが入力したものであるので、ジョブ表示処理部１４は、当該生成したサムネイル画像ＪＣ１〜ＪＣ３を識別不可能に表示する。サムネイル画像ＪＣ１〜ＪＣ３を識別不可能に表示するとは、サムネイル画像ＪＣ１〜ＪＣ３に代えて、サムネイル画像ＪＣ１〜ＪＣ３を示さない所定の画像（図５では、グレー一色に塗り潰された画像）を表示することによって、サムネイル画像ＪＣ１〜ＪＣ３の内容を識別不可能にすることを示す。
【００７３】
このとき、ジョブ表示処理部１４は、各サムネイル画像ＪＣ１〜ＪＣ３を、各印刷ジョブＪ１〜Ｊ３に含まれる排紙方向情報が示す用紙の向きに合わせて表示する。例えば、印刷ジョブＪ１に用紙を横向きにして排出することを示す排紙方向情報が含まれ、印刷ジョブＪ２、Ｊ３に、用紙を縦向きにして排出することを示す排紙方向情報が含まれていたとする。この場合、ジョブ表示処理部１４は、図５に示すように、サムネイル画像ＪＣ１を横向きに表示し、サムネイル画像ＪＣ２、ＪＣ３を縦向きに表示する。尚、印刷ジョブに排紙方向情報が含まれていない場合、ジョブ表示処理部１４は、当該印刷ジョブに対応するサムネイル画像を上記予め定められた向き（本説明では、縦向き）に表示する。
【００７４】
更に、ジョブ表示処理部１４は、各印刷ジョブＪ１〜Ｊ３に含まれる、用紙に形成させる対象の画像の枚数と印刷部数とを乗算することにより、各印刷ジョブＪ１〜Ｊ３の実行によって排出される用紙の枚数（以下、排紙枚数）ＪＰ１〜ＪＰ３を算出する。そして、ジョブ表示処理部１４は、当該算出した排紙枚数ＪＰ１〜ＪＰ３をサムネイル画像ＪＣ１〜ＪＣ３に重ねて表示する。例えば、図５は、ジョブ表示処理部１４によって算出された排紙枚数ＪＰ１〜ＪＰ３が、それぞれ、「２０」、「３０」、「１０」であることを示している。
【００７５】
また、１６時２２分に、印刷制御部１３は、印刷ジョブＪ１の実行を開始している。このため、ジョブ表示処理部１４は、ジョブ表示処理において、ユーザー名ＪＵ１やサムネイル画像ＪＣ１等、実行中の印刷ジョブＪ１の内容が表示されている領域の下部に、当該印刷ジョブが実行中であることを示す画像ＪＳ１（印刷ジョブが実行中であることを示す情報）を表示する。このようにして、ジョブ表示処理部１４は、ジョブ表示処理において、実行中の印刷ジョブＪ１の内容と、当該印刷ジョブが実行中であることを示す画像ＪＳ１とを対応付けて表示する。
【００７６】
また、ジョブ表示処理部１４は、ユーザー名ＪＵ２やサムネイル画像ＪＣ２等、実行前の印刷ジョブＪ２の内容が表示されている領域の下部に、当該印刷ジョブが実行前であり、次に実行される印刷ジョブであることを示す画像ＪＳ２（印刷ジョブが実行前であることを示す情報）を表示する。
【００７７】
同様に、ジョブ表示処理部１４は、ユーザー名ＪＵ３やサムネイル画像ＪＣ３等、実行前の印刷ジョブＪ３の内容が表示されている領域の下部に、当該印刷ジョブが実行前であり、次の次に実行される印刷ジョブであることを示す画像ＪＳ３（印刷ジョブが実行前であることを示す情報）を表示する。
【００７８】
このようにして、ジョブ表示処理部１４は、ジョブ表示処理において、実行前の印刷ジョブＪ２、Ｊ３の内容と、当該印刷ジョブＪ２、Ｊ３が実行前であることを示す画像ＪＳ２、ＪＳ３と、を対応付けて表示する。
【００７９】
また、ジョブ表示処理部１４は、認証ユーザーが入力した印刷ジョブの実行によって排出される用紙の向きを切り替えるタッチ操作を行わせるためのソフトキーＤＫを表示部３１に表示する。また、ジョブ表示処理部１４は、認証ユーザーが入力した印刷ジョブの実行によって画像が形成された用紙を、フェイスアップ状態で排出するか又はフェイスダウン状態で排出するかを切り替えるタッチ操作を行わせるためのソフトキーＳＫを表示部３１に表示する。
【００８０】
尚、ジョブ表示処理部１４は、認証ユーザー（ユーザー「ＵＳＥＲ  Ａ」）が入力した印刷ジョブＪ４の内容が表示部３１に表示されていない場合、ソフトキーＤＫ及びソフトキーＳＫをタッチ操作不可能に表示する。ソフトキーＤＫ及びソフトキーＳＫをタッチ操作不可能に表示するとは、ソフトキーＤＫ及びソフトキーＳＫを、タッチ操作可能なときとは異なる表示態様で表示する（例えば、図５に示すようにグレー表示する）とともに、ソフトキーＤＫ及びソフトキーＳＫがタッチ操作されたとしても、制御部１０に当該タッチ操作を受け付けさせないことを示す。
【００８１】
また、ジョブ表示処理部１４は、現在時刻ＣＴと、認証ユーザー（ユーザー「ＵＳＥＲ  Ａ」）が入力した印刷ジョブＪ４の受付時刻ＲＴと、を表示部３１に表示する。
【００８２】
そして、１６時２２分においては、印刷ジョブＪ１の実行が開始されたところであり、画像が形成された用紙は、未だ排出トレイ８３に排出されていない。つまり、排紙検知センサー９は、排出トレイ８３に用紙が載置されていないことを検知している。このように、排紙状況表示部１５は、排紙検知センサー９により、排出トレイ８３に用紙が載置されていないことが検知されている場合は、排紙画像を表示部３１に表示しない。
【００８３】
その後、印刷ジョブＪ１の実行が終了し、現在時刻が１６時２３分になったとする。そして、印刷制御部１３によって印刷ジョブＪ２の実行が開始されたとする。
【００８４】
この場合、ジョブ表示処理部１４は、図６に示すように、実行が終了した印刷ジョブＪ１の内容を非表示にし、実行中及び実行前の３つの印刷ジョブＪ２〜Ｊ４の内容を実行順に表示部３１に表示する。
【００８５】
このとき、ジョブ表示処理部１４は、上記の現在時刻が１６：２２のとき（図５）と同様に、他のユーザーが入力した印刷ジョブＪ２、Ｊ３の内容を識別不可能に表示部３１に表示する。具体的には、図６に示すように、ジョブ表示処理部１４は、ユーザー名ＪＵ２、ＪＵ３及びサムネイル画像ＪＣ２、ＪＣ３を識別不可能に表示し、既に算出済みの排紙枚数ＪＰ２、ＪＰ３をサムネイル画像ＪＣ２、ＪＣ３に重ねて表示する。
【００８６】
また、印刷ジョブＪ２の実行が開始されているので、ジョブ表示処理部１４は、実行中の印刷ジョブＪ２の内容と当該印刷ジョブが実行中であることを示す画像ＪＳ１とを対応付けて表示する。また、ジョブ表示処理部１４は、実行前の印刷ジョブＪ３の内容と、当該印刷ジョブが実行前であり、次に実行される印刷ジョブであることを示す画像ＪＳ２とを対応付けて表示する。
【００８７】
一方、ジョブ表示処理部１４は、認証ユーザー（ユーザー「ＵＳＥＲ  Ａ」）が入力した印刷ジョブＪ４の内容を識別可能に表示部３１に表示する。具体的には、ジョブ表示処理部１４は、印刷ジョブＪ４に含まれている、印刷ジョブＪ４を入力したユーザーのユーザー名ＪＵ４を識別可能に表示する。ユーザー名ＪＵ４を識別可能に表示するとは、例えば、ユーザー名ＪＵ４を示す文字列「ＵＳＥＲ  Ａ」を表示することによって、ユーザー名ＪＵ４を識別可能にすることを示す。
【００８８】
また、ジョブ表示処理部１４は、印刷ジョブＪ４に含まれている、用紙に形成させる対象の画像のうち、最初に用紙に形成させる対象の画像を示すサムネイル画像ＪＣ４を生成する。そして、ジョブ表示処理部１４は、当該生成したサムネイル画像ＪＣ４を識別可能に表示する。サムネイル画像ＪＣ４を識別可能に表示するとは、サムネイル画像ＪＣ４を表示することによって、サムネイル画像ＪＣ４の内容を識別可能にすることを示す。
【００８９】
このとき、ジョブ表示処理部１４は、サムネイル画像ＪＣ４を、当該印刷ジョブＪ４に含まれる排紙方向情報が示す用紙の向きに合わせて表示する。
【００９０】
例えば、印刷ジョブＪ４には、用紙を横向きにして排出することを示す排紙方向情報が含まれていたとする。この場合、ジョブ表示処理部１４は、図６に示すように、当該排紙方向情報に基づいて、サムネイル画像ＪＣ４を横向きに表示する。一方、印刷ジョブＪ４には、用紙を縦向きにして排出することを示す排紙方向情報が含まれていたとする。この場合、ジョブ表示処理部１４は、図７に示すように、当該排紙方向情報に基づいて、サムネイル画像ＪＣ４を縦向きに表示する。尚、印刷ジョブＪ４に排紙方向情報が含まれていない場合、ジョブ表示処理部１４は、サムネイル画像ＪＣ４を上記予め定められた向き（本説明では、縦向き）に表示する。
【００９１】
また、ジョブ表示処理部１４は、認証ユーザーが入力した印刷ジョブＪ４に含まれる排紙面情報に基づいて、当該印刷ジョブＪ４の内容と、当該印刷ジョブＪ４の実行によって画像が形成された用紙をフェイスアップ状態で排紙するか又はフェイスダウン状態で排出するかを示す情報と、を対応付けて表示する。
【００９２】
例えば、印刷ジョブＪ４には、用紙をフェイスアップ状態で排出することを示す排紙面情報が含まれていたとする。この場合、ジョブ表示処理部１４は、図６に示すように、当該排紙面情報に基づいて、用紙をフェイスアップ状態で排紙することを示す情報として、上面が用紙の表側であることを示す画像ＦＵを、サムネイル画像ＪＣ４に重ねて表示する。このようにして、ジョブ表示処理部１４は、印刷ジョブＪ４の内容と、用紙をフェイスアップ状態で排紙することを示す情報とを対応付けて表示する。
【００９３】
一方、印刷ジョブＪ４には、用紙をフェイスダウン状態で排出することを示す排紙面情報が含まれていたとする。この場合、ジョブ表示処理部１４は、当該排紙面情報に基づいて、用紙をフェイスダウン状態で排紙することを示す情報として、上面が用紙の裏側であることを示す画像ＦＤを、サムネイル画像ＪＣ４に重ねて表示する。このようにして、ジョブ表示処理部１４は、印刷ジョブＪ４の内容と、用紙をフェイスダウン状態で排紙することを示す情報とを対応付けて表示する。
【００９４】
尚、印刷ジョブＪ４に排紙面情報が含まれていない場合、ジョブ表示処理部１４は、サムネイル画像ＪＣ４に重ねて、上面が用紙の表側であることを示す画像ＦＵ及び上面が用紙の裏側であることを示す画像ＦＤのうち、上記予め定められた状態に対応する画像（本説明では、上記予め定められた状態をフェイスダウン状態としているので、上面が用紙の裏側であることを示す画像ＦＤ）を表示する。
【００９５】
また、ジョブ表示処理部１４が、印刷ジョブＪ４の内容と、用紙をフェイスアップ状態で排紙するか又はフェイスダウン状態で排出するかを示す情報と、を対応付けて表示する方法は、図６及び図７に示した具体例に限定されない。
【００９６】
例えば、ジョブ表示処理部１４は、印刷ジョブＪ４の内容と、用紙をフェイスダウン状態で排紙する情報とを対応付けて表示する場合に、サムネイル画像ＪＣ４に代えて、サムネイル画像ＪＣ４の表裏を反転した画像を表示してもよい。これに合わせて、ジョブ表示処理部１４は、印刷ジョブＪ４の内容と用紙をフェイスアップ状態で排紙する情報とを対応付けて表示する場合、サムネイル画像ＪＣ４の表裏を反転せずにそのまま表示してもよい。
【００９７】
更に、ジョブ表示処理部１４は、印刷ジョブＪ４に含まれる、用紙に形成させる対象の画像の枚数と印刷部数とを乗算することにより、印刷ジョブＪ４の実行によって排出される用紙の排紙枚数ＪＰ４を算出する。そして、ジョブ表示処理部１４は、当該算出した排紙枚数ＪＰ４をサムネイル画像ＪＣ４に重ねて表示する。例えば、図６及び図７は、ジョブ表示処理部１４によって算出された排紙枚数ＪＰ４が「２０」であることを示している。
【００９８】
そして、ジョブ表示処理部１４は、ユーザー名ＪＵ４やサムネイル画像ＪＣ４等、実行前の印刷ジョブＪ４の内容が表示されている領域の下部に、当該印刷ジョブが実行前であり、次の次に実行される印刷ジョブであることを示す画像ＪＳ３を表示する。このようにして、ジョブ表示処理部１４は、ジョブ表示処理において、実行前の印刷ジョブＪ４の内容と、当該印刷ジョブＪ４が実行前であることを示す画像ＪＳ３とを対応付けて表示する。
【００９９】
また、ジョブ表示処理部１４は、排紙枚数ＪＰ２〜ＪＰ４の総和と単位印刷時間とを乗算する。尚、単位印刷時間は、用紙１枚に画像を形成する印刷ジョブの実行に要する時間であり、試験運転等の実験値によって予め定められている。つまり、当該乗算結果は、印刷ジョブＪ２〜Ｊ４の実行に要する時間に相当する。そして、ジョブ表示処理部１４は、現在時刻ＣＴから当該乗算結果が示す時間が経過したときの時刻を印刷ジョブＪ４の完了時刻ＦＴとして表示する。
【０１００】
例えば、単位印刷時間が３秒であるとする。図６及び図７に示す具体例においては、排紙枚数ＪＰ２〜ＪＰ４の総和が６０である。この場合、ジョブ表示処理部１４は、印刷ジョブＪ２の実行が開始された現在時刻ＣＴ「１６時２３分」から、排紙枚数ＪＰ２〜ＪＰ４の総和と単位印刷時間との乗算結果が示す時間「３分（＝６０×３秒）」が経過したときの時刻「１６時２６分」を、印刷ジョブＪ４の完了時刻ＦＴとして表示する。
【０１０１】
また、ジョブ表示処理部１４は、認証ユーザー（ユーザー「ＵＳＥＲ  Ａ」）が入力した印刷ジョブＪ４の内容が表示部３１に表示されている場合、ソフトキーＤＫ及びソフトキーＳＫをタッチ操作可能に表示する。ソフトキーＤＫ及びソフトキーＳＫをタッチ操作可能に表示するとは、ソフトキーＤＫ及びソフトキーＳＫを、ソフトキーＤＫ及びソフトキーＳＫがタッチ操作不可能なときの表示態様（グレー表示）とは異なる表示態様で表示する（例えば、図６に示すようにグレー表示しない）とともに、ソフトキーＤＫ及びソフトキーＳＫがタッチ操作された場合に、制御部１０に当該タッチ操作を受け付けさせることを示す。
【０１０２】
例えば、図６に示すように、サムネイル画像ＪＣ４が横向きに表示されていた状態で、ソフトキーＤＫがタッチ操作されたとする。この場合、ジョブ表示処理部１４は、認証ユーザー（ユーザー「ＵＳＥＲ  Ａ」）が入力した印刷ジョブＪ４のサムネイル画像ＪＣ４のみを横向きから縦向きに代えて表示する。これに合わせて、ジョブ表示処理部１４は、印刷ジョブＪ４に含まれる排紙方向情報が示す用紙の向きを縦向きに変更する。尚、ジョブ表示処理部１４は、印刷ジョブＪ４に排紙方向情報が含まれていない場合は、用紙を縦向きに排出することを示す排紙方向情報を新たに印刷ジョブＪ４に含ませる。
【０１０３】
一方、図７に示すように、サムネイル画像ＪＣ４が縦向きに表示されていた状態で、ソフトキーＤＫがタッチ操作されたとする。この場合、ジョブ表示処理部１４は、認証ユーザー（ユーザー「ＵＳＥＲ  Ａ」）が入力した印刷ジョブＪ４のサムネイル画像ＪＣ４のみを縦向きから横向きに代えて表示する。これに合わせて、ジョブ表示処理部１４は、印刷ジョブＪ４に含まれる排紙方向情報が示す用紙の向きを横向きに変更する。尚、ジョブ表示処理部１４は、印刷ジョブＪ４に排紙方向情報が含まれていない場合は、用紙を横向きに排出することを示す排紙方向情報を新たに印刷ジョブＪ４に含ませる。
【０１０４】
このように、ソフトキーＤＫがタッチ操作された場合、認証ユーザー（ユーザー「ＵＳＥＲ  Ａ」）が入力した印刷ジョブＪ４のみに含まれる排紙方向情報が示す用紙の向きが切り替えられる。
【０１０５】
また、例えば、図６に示すように、上面が用紙の表側であることを示す画像ＦＵがサムネイル画像ＪＣ４に重ねて表示された状態で、ソフトキーＳＫがタッチ操作されたとする。つまり、認証ユーザー（ユーザー「ＵＳＥＲ  Ａ」）が入力した印刷ジョブＪ４の内容と用紙をフェイスアップ状態で排紙することを示す情報とが対応付けて表示された状態で、ソフトキーＳＫがタッチ操作されたとする。
【０１０６】
この場合、ジョブ表示処理部１４は、上面が用紙の表側であることを示す画像ＦＵに代えて、上面が用紙の裏側であることを示す画像ＦＤをサムネイル画像ＪＣ４に重ねて表示する。つまり、ジョブ表示処理部１４は、印刷ジョブＪ４の内容と用紙をフェイスダウン状態で排紙することを示す情報とを対応付けて表示する。これに合わせて、ジョブ表示処理部１４は、認証ユーザー（ユーザー「ＵＳＥＲ  Ａ」）が入力した印刷ジョブＪ４に含まれる排紙面情報が示す、用紙を排出するときの状態をフェイスダウン状態に変更する。尚、ジョブ表示処理部１４は、認証ユーザー（ユーザー「ＵＳＥＲ  Ａ」）が入力した印刷ジョブＪ４に排紙面情報が含まれていない場合は、用紙をフェイスダウン状態で排出することを示す排紙面情報を新たに印刷ジョブＪ４に含ませる。
【０１０７】
一方、例えば、図７に示すように、上面が用紙の裏側であることを示す画像ＦＤがサムネイル画像ＪＣ４に重ねて表示された状態で、ソフトキーＳＫがタッチ操作されたとする。つまり、認証ユーザー（ユーザー「ＵＳＥＲ  Ａ」）が入力した印刷ジョブＪ４の内容と用紙をフェイスダウン状態で排紙することを示す情報とが対応付けて表示された状態で、ソフトキーＳＫがタッチ操作されたとする。
【０１０８】
この場合、ジョブ表示処理部１４は、上面が用紙の裏側であることを示す画像ＦＤに代えて、上面が用紙の表側であることを示す画像ＦＵをサムネイル画像ＪＣ４に重ねて表示する。つまり、ジョブ表示処理部１４は、印刷ジョブＪ４の内容と用紙をフェイスアップ状態で排紙することを示す情報とを対応付けて表示する。これに合わせて、ジョブ表示処理部１４は、認証ユーザー（ユーザー「ＵＳＥＲ  Ａ」）が入力した印刷ジョブＪ４に含まれる排紙面情報が示す、用紙を排出するときの状態をフェイスアップ状態に変更する。尚、ジョブ表示処理部１４は、認証ユーザー（ユーザー「ＵＳＥＲ  Ａ」）が入力した印刷ジョブＪ４に排紙面情報が含まれていない場合は、用紙をフェイスアップ状態で排出することを示す排紙面情報を新たに印刷ジョブＪ４に含ませる。
【０１０９】
このように、ソフトキーＳＫがタッチ操作された場合、ソフトキーＤＫの操作時と同様に、認証ユーザー（ユーザー「ＵＳＥＲ  Ａ」）が入力した印刷ジョブＪ４のみに含まれる排紙面情報が示す、用紙をフェイスアップ状態で排出するか又は用紙をフェイスダウン状態で排出するかが切り替えられる。
【０１１０】
また、１６時２３分において、印刷ジョブＪ１の実行は終了している。ここで、印刷ジョブＪ１の実行により排出された用紙は取得されていず、そのまま排出トレイ８３に載置されているとする。この場合、排紙検知センサー９は、排出トレイ８３に用紙が載置されていることを検知する。このように、排紙状況表示部１５は、排紙検知センサー９により、排出トレイ８３に用紙が載置されていることが検知されている場合は、図６及び図７に示すように、排紙画像ＥＰを表示部３１に表示する。
【０１１１】
その後、印刷ジョブＪ２、Ｊ３の実行が終了し、現在時刻が１６時２５分になったとする。そして、印刷制御部１３によって印刷ジョブＪ４の実行が開始されたとする。
【０１１２】
この場合、ジョブ表示処理部１４は、図８に示すように、実行が終了した印刷ジョブＪ２、Ｊ３の内容を非表示にし、実行中及び実行前の３つの印刷ジョブＪ４〜Ｊ６の内容を実行順に表示部３１に表示する。
【０１１３】
このとき、ジョブ表示処理部１４は、上記の現在時刻が１６：２３のとき（図６及び図７）と同様に、認証ユーザーが入力した印刷ジョブＪ４の内容を識別可能に表示部３１に表示する。一方、ジョブ表示処理部１４は、他のユーザーが入力した印刷ジョブＪ５、Ｊ６の内容を識別不可能に表示部３１に表示する。また、ジョブ表示処理部１４は、算出した排紙枚数ＪＰ４〜ＪＰ６をサムネイル画像ＪＣ４〜ＪＣ６に重ねて表示する。
【０１１４】
また、印刷ジョブＪ４の実行が開始されているので、ジョブ表示処理部１４は、実行中の印刷ジョブＪ４の内容と当該印刷ジョブが実行中であることを示す画像ＪＳ１とを対応付けて表示する。また、ジョブ表示処理部１４は、実行前の印刷ジョブＪ５、Ｊ６の内容と、当該印刷ジョブが実行前であることを示す画像ＪＳ２、ＪＳ３とを対応付けて表示する。
【０１１５】
また、１６時２５分において、印刷ジョブＪ１〜Ｊ３の実行により排出された用紙は取得されていず、そのまま排出トレイ８３に載置されているとする。この場合、排紙検知センサー９によって排出トレイ８３に用紙が載置されていることが検知されているので、排紙状況表示部１５は、図８に示すように、排紙画像ＥＰを表示部３１に表示する。つまり、この場合、認証ユーザーは、自身が入力した印刷ジョブＪ４の実行によって排出される用紙が、排出トレイ８３に既に積載されている用紙の上方に積載されることを把握することができる。
【０１１６】
一方、１６時２５分において、印刷ジョブＪ１〜Ｊ３の実行により排出された用紙が既に取得され、排出トレイ８３に用紙が載置されていないとする。この場合、排紙検知センサー９によって排出トレイ８３に用紙が載置されていることが検知されていないので、排紙状況表示部１５は、図９に示すように、排紙画像ＥＰを表示部３１に表示しない。つまり、この場合、認証ユーザーは、今後、他の印刷ジョブの実行によって排出された用紙が排出トレイ８３に積載されたとしても、自身が入力した印刷ジョブＪ４の実行によって排出される用紙が、排出トレイ８３に積載されている用紙のうちの最下部に存在することを把握することができる。
【０１１７】
その後、印刷ジョブＪ４の実行が終了し、現在時刻が１６時２６分になったとする。そして、印刷制御部１３によって印刷ジョブＪ５の実行が開始されたとする。
【０１１８】
この場合、ジョブ表示処理部１４は、図１０に示すように、実行が終了した印刷ジョブＪ４の内容を非表示にする。また、認証ユーザーが入力した印刷ジョブＪ４の実行が終了しているので、ジョブ表示処理部１４は、印刷ジョブＪ４の受け付け時刻ＲＴ及び印刷ジョブＪ４の完了時刻ＦＴを非表示にし、ソフトキーＤＫ及びソフトキーＳＫをタッチ操作不可能に表示する。
【０１１９】
そして、ジョブ表示処理部１４は、実行中及び実行前の３つの印刷ジョブＪ５〜Ｊ７の内容を実行順に表示部３１に表示する。このとき、ジョブ表示処理部１４は、上記の現在時刻が１６：２２のとき（図５）と同様に、他のユーザーが入力した印刷ジョブＪ５〜Ｊ７の内容を識別不可能に表示部３１に表示する。また、ジョブ表示処理部１４は、算出した排紙枚数ＪＰ５〜ＪＰ７をサムネイル画像ＪＣ５〜ＪＣ７に重ねて表示する。
【０１２０】
また、印刷ジョブＪ５の実行が開始されているので、ジョブ表示処理部１４は、実行中の印刷ジョブＪ５の内容と当該印刷ジョブが実行中であることを示す画像ＪＳ１とを対応付けて表示する。また、ジョブ表示処理部１４は、実行前の印刷ジョブＪ６、Ｊ７の内容と、当該印刷ジョブが実行前であることを示す画像ＪＳ２、ＪＳ３とを対応付けて表示する。
【０１２１】
また、１６時２６分において、認証ユーザーは、印刷ジョブＪ４の実行により排出された用紙を取得していず、当該用紙がそのまま排出トレイ８３に載置されていたとする。この場合、排紙検知センサー９によって排出トレイ８３に用紙が載置されていることが検知されているので、排紙状況表示部１５は、図１０に示すように、排紙画像ＥＰを表示部３１に表示する。つまり、この場合、認証ユーザーは、以降、印刷ジョブＪ５〜Ｊ７の実行によって排出される用紙が、自身が入力した印刷ジョブＪ４の実行によって排出された用紙の上に積載されることを把握することができる。
【０１２２】
このように、上記実施形態の構成によれば、実行中及び実行前の印刷ジョブの内容のうち、認証ユーザーが入力した印刷ジョブＪ４の内容は識別可能に表示されるが、認証ユーザーとは他のユーザーが入力した印刷ジョブＪ１〜Ｊ３、Ｊ５〜Ｊ７の内容は識別不可能に表示される。このため、認証ユーザーは、他のユーザーが入力した印刷ジョブＪ１〜Ｊ３、Ｊ５〜Ｊ７の内容を識別することができない。これにより、認証ユーザーとは他のユーザーが入力した印刷ジョブＪ１〜Ｊ３、Ｊ５〜Ｊ７の内容が認証ユーザーに漏洩する虞を低減することができる。つまり、印刷ジョブの内容が当該印刷ジョブを入力したユーザーとは他のユーザーに漏洩する虞を低減することができる。
【０１２３】
また、上記実施形態の構成によれば、認証ユーザーは、自身の入力した印刷ジョブＪ４の内容に対応付けて表示されている、印刷ジョブが実行中であることを示す画像ＪＳ１又は印刷ジョブが実行前であることを示す画像ＪＳ２、ＪＳ３を視認することによって、自身の入力した印刷ジョブＪ４が実行中であるか実行前であるかを容易に把握することができる。
【０１２４】
また、上記実施形態の構成によれば、認証ユーザーは、自身の入力した実行中又は実行前の印刷ジョブＪ４の内容が表示部３１に表示され、且つ、排紙画像ＥＰが表示部３１に表示されている場合、自身の入力した印刷ジョブＪ４の実行によって排出される用紙が、排出トレイ８３に積載された用紙の最下部ではなく、上部に積載されることを把握することができる。
【０１２５】
これにより、認証ユーザーは、排出トレイ８３に積載された用紙から自身の入力した印刷ジョブＪ４によって排出された用紙を取得するときに、取得する対象の用紙を、排出トレイ８３の上方に積載されている用紙に制限することができる。その結果、認証ユーザーが排出トレイ８３に積載された用紙から自身の入力した印刷ジョブＪ４によって排出された用紙を取得するときの手間を軽減することができ、また、他のユーザーの用紙と自分の用紙との取り間違えを軽減することができる。これにより、用紙の取り間違えによって、印刷ジョブの内容が当該印刷ジョブを入力したユーザーとは他のユーザーに漏洩する虞も低減することができる。
【０１２６】
また、上記実施形態の構成によれば、認証ユーザーは、サムネイル画像ＪＣ４を視認して、サムネイル画像ＪＣ４が表示されている向きを把握することによって、自身の入力した印刷ジョブＪ４の実行によって用紙が排出されるときの用紙の向きを把握することができる。
【０１２７】
これにより、認証ユーザーは、排出トレイ８３に積載された用紙から自身の入力した印刷ジョブＪ４によって排出された用紙を取得するときに、取得する対象の用紙を、排出トレイ８３に積載されている用紙のうち、上記の把握した向きに載置されている用紙に制限することができる。その結果、認証ユーザーが排出トレイ８３に積載された用紙から自身の入力した印刷ジョブＪ４によって排出された用紙を取得するときの手間を軽減することができ、また、他のユーザーの用紙と自分の用紙との取り間違えを軽減することができる。これにより、用紙の取り間違えによって、印刷ジョブの内容が当該印刷ジョブを入力したユーザーとは他のユーザーに漏洩する虞も低減することができる。
【０１２８】
また、上記実施形態の構成によれば、認証ユーザーは、ソフトキーＤＫを操作することによって、自身の入力した印刷ジョブＪ４の実行によって用紙が排出されるときの用紙の向きを変更することができる。
【０１２９】
これにより、認証ユーザーは、排出トレイ８３に積載された用紙から自身の入力した印刷ジョブＪ４によって排出された用紙を取得するときに、取得する対象の用紙を、排出トレイ８３に積載されている用紙のうち、上記変更後の向きに載置されている用紙に制限することができる。その結果、認証ユーザーが排出トレイ８３に積載された用紙から自身の入力した印刷ジョブＪ４によって排出された用紙を取得するときの手間を軽減することができ、また、他のユーザーの用紙と自分の用紙との取り間違えを軽減することができる。これにより、用紙の取り間違えによって、印刷ジョブの内容が当該印刷ジョブを入力したユーザーとは他のユーザーに漏洩する虞も低減することができる。
【０１３０】
また、上記実施形態の構成によれば、認証ユーザーは、自身の入力した印刷ジョブＪ４の内容に対応付けて表示されている、上面が用紙の表側であることを示す画像ＦＵ又は上面が用紙の裏側であることを示す画像ＦＤを視認することによって、自身の入力した印刷ジョブＪ４の実行によって排出される用紙がフェイスアップ状態で排紙されるか、又はフェイスダウン状態で排出されるかを把握することができる。
【０１３１】
これにより、認証ユーザーは、排出トレイ８３に積載された用紙から自身の入力した印刷ジョブＪ４によって排出された用紙を取得するときに、取得する対象の用紙を、排出トレイ８３に積載されている用紙のうち、上記の把握した状態で載置されている用紙に制限することができる。その結果、認証ユーザーが排出トレイ８３に積載された用紙から自身の入力した印刷ジョブＪ４によって排出された用紙を取得するときの手間を軽減することができ、また、他のユーザーの用紙と自分の用紙との取り間違えを軽減することができる。これにより、用紙の取り間違えによって、印刷ジョブの内容が当該印刷ジョブを入力したユーザーとは他のユーザーに漏洩する虞も低減することができる。
【０１３２】
また、上記実施形態の構成によれば、認証ユーザーは、ソフトキーＳＫを操作することによって、自身の入力した印刷ジョブＪ４の実行によって排出される用紙をフェイスアップ状態で排出するか又はフェイスダウン状態で排出するかを変更することができる。
【０１３３】
これにより、認証ユーザーは、排出トレイ８３に積載された用紙から自身の入力した印刷ジョブＪ４によって排出された用紙を取得するときに、取得する対象の用紙を、排出トレイ８３に積載されている用紙のうち、上記変更後の状態で載置されている用紙に制限することができる。その結果、認証ユーザーが排出トレイ８３に積載された用紙から自身の入力した印刷ジョブＪ４によって排出された用紙を取得するときの手間を軽減することができ、また、他のユーザーの用紙と自分の用紙との取り間違えを軽減することができる。これにより、用紙の取り間違えによって、印刷ジョブの内容が当該印刷ジョブを入力したユーザーとは他のユーザーに漏洩する虞も低減することができる。
【０１３４】
尚、図１乃至図１０に示した構成等は、本発明に係る実施形態の例示に過ぎず、本発明を当該実施形態に限定する趣旨ではない。
【０１３５】
（１）例えば、本発明に係るジョブ管理装置をコンピューターＥＣに適用してもよい。具体的には、コンピューターＥＣに、認証部１１、ジョブ表示処理部１４、排紙状況表示部１５及び載置方向検出部１６と同様の処理部を備えてもよい。これに合わせて、複合機１の制御部１０が、排紙検知センサー９から入力された検知信号を通信部７を介してコンピューターＥＣに送信するようにする。また、コンピューターＥＣは、複合機１から受信した当該検知信号に基づいて、印刷ジョブの実行によって排出された用紙が複合機１の排出トレイ８３に載置されているか否かを検知する載置検知部を更に備えるようにする。
【０１３６】
更に、複合機１の制御部１０は、ジョブ受付部１２によって受け付けられた印刷ジョブのうち、実行中及び実行前の印刷ジョブの内容をコンピューターＥＣに送信するようにする。そして、コンピューターＥＣに備えられたジョブ表示処理部１４及び排紙状況表示部１５と同様の処理部は、複合機１から受信した実行中及び実行前の印刷ジョブの内容を用いて、上記実施形態で説明したジョブ表示処理部１４及び排紙状況表示部１５が表示部３１に表示する内容と同じ内容を、コンピューターＥＣに備えられた表示部に表示するようにする。
【０１３７】
（２）また、図４に示した排紙検知センサー９に代えて、図１１に示すように、排出トレイ８３に２つの排紙検知センサー９ａ、９ｂを設けてもよい。排紙検知センサー９ａ、９ｂは、図４に示した排紙検知センサー９と同様、発光素子と受光素子とを備えた反射型フォトセンサーや、機械的なセンサーで構成してよい。排紙検知センサー９ａは、縦向きにして排出された用紙Ｐ１が排出トレイ８３に積載されているか否かを検知する。排紙検知センサー９ｂは、横向きにして排出された用紙Ｐ２が排出トレイ８３に積載されているか否かを検知する。
【０１３８】
これに合わせて、制御部１０が、不揮発性メモリーに記憶された制御プログラムをＣＰＵに実行させることによって、更に、図３の破線部に示す、載置方向検出部１６を構成するようにする。
【０１３９】
載置方向検出部１６は、排紙検知センサー９ｂよりも先に、排紙検知センサー９ａが縦向きに排出された用紙Ｐ１が積載されていることを検知した場合、排出トレイ８３に載置されている用紙の向きが縦向きであることを検出する。一方、載置方向検出部１６は、排紙検知センサー９ａよりも先に、排紙検知センサー９ｂが横向きに排出された用紙Ｐ２が積載されていることを検知した場合、排出トレイ８３に載置されている用紙の向きが横向きであることを検出する。
【０１４０】
更に、これに合わせて、排紙状況表示部１５が、排紙画像ＥＰを表示する場合に、排紙画像ＥＰを載置方向検出部１６によって検出された用紙の向きに合わせて表示するようにする。例えば、載置方向検出部１６が、排出トレイ８３に載置されている用紙の向きが縦向きであることを検出したとする。この場合、排紙状況表示部１５は、図１０に示すように、排紙画像ＥＰを縦向きに表示する。一方、載置方向検出部１６が、排出トレイ８３に載置されている用紙の向きが横向きであることを検出したとする。この場合、排紙状況表示部１５は、図１２に示すように、排紙画像ＥＰを横向きに表示する。
【０１４１】
尚、本構成において、載置方向検出部１６は、排紙検知センサー９ａ、９ｂのどちらが先に用紙が載置されていることを検知したかによらず、排紙検知センサー９ａが用紙Ｐ１が積載されていることを検知したときに、排出トレイ８３に載置されている用紙の向きが縦向きであることを検出し、排紙検知センサー９ｂが用紙Ｐ２が積載されていることを検知したときに、排出トレイ８３に載置されている用紙の向きが横向きであることを検出するようにしてもよい。これに合わせて、排紙状況表示部１５は、載置方向検出部１６が排出トレイ８３に載置されている用紙の向きを検出する度に、当該検出した用紙の向きに合わせて排紙画像ＥＰを重ねて表示してもよい。
【０１４２】
本構成によれば、認証ユーザーは、自身の入力した実行前の印刷ジョブＪ４の内容が表示部３１に表示され、且つ、排紙画像ＥＰが表示部３１に表示されている場合、自身の入力した印刷ジョブＪ４の実行によって排出される用紙の向きが、排出トレイ８３にすでに積載された用紙の向きと同じときに、ソフトキーＤＫを操作し、排紙画像ＥＰと異なる向きに積載されるように用紙の向きを変更することができる。
【０１４３】
これにより、認証ユーザーは、排出トレイ８３に積載された用紙から自身の入力した印刷ジョブＪ４によって排出された用紙を取得するときに、取得する対象の用紙を、排出トレイ８３に積載されている用紙のうち、排紙画像ＥＰと違う向きに積載されている用紙に制限することができる。その結果、認証ユーザーが排出トレイ８３に積載された用紙から自身の入力した印刷ジョブＪ４によって排出された用紙を取得するときの手間を軽減することができ、また、他のユーザの用紙と自分の用紙との取り間違えを軽減することができる。これにより、用紙の取り間違えによって、印刷ジョブの内容が当該印刷ジョブを入力したユーザーとは他のユーザーに漏洩する虞も低減することができる。
【０１４４】
（３）また、ジョブ表示処理部１４が、ソフトキーＤＫ及びソフトキーＳＫのうち少なくとも一方を表示しないように簡素化してもよい。
【０１４５】
（４）また、ジョブ表示処理部１４が、印刷ジョブに含まれる排紙面情報に基づいて、印刷ジョブの内容と、用紙をフェイスアップ状態で排紙するか又はフェイスダウン状態で排出するかを示す情報と、を対応付けて表示しないように簡素化してもよい。
【０１４６】
（５）また、ジョブ表示処理部１４が、印刷ジョブの内容に含まれる排紙方向情報が示す用紙の向きによらず、サムネイル画像を上記予め定められた向きに表示するように簡素化してもよい。
【０１４７】
（６）また、制御部１０が、排紙状況表示部１５を構成しないように簡素化してもよい。
【０１４８】
（７）また、ジョブ表示処理部１４が、印刷ジョブが実行中であることを示す画像ＪＳ１、印刷ジョブが実行前であることを示す画像ＪＳ２、ＪＳ３を表示しないように簡素化してもよい。
【０１４９】
尚、本発明に係るジョブ管理装置は、上記の複合機１に適用される場合の他、印刷ジョブを実行可能なプリンター装置及びファクシミリ装置等の画像形成装置に適用することも可能である。
【符号の説明】
【０１５０】
１  複合機（ジョブ管理装置、画像形成装置）
９、９ａ、９ｂ  排紙検知センサー（載置検知部）
１０  制御部
１１  認証部
１２  ジョブ受付部
１４  ジョブ表示処理部
１５  排紙状況表示部
１６  載置方向検出部
３１  表示部
８３  排出トレイ
ＤＫ  ソフトキー
ＥＰ  排紙画像
ＦＤ  画像（用紙をフェイスダウン状態で排紙することを示す情報）
ＦＵ  画像（用紙をフェイスアップ状態で排紙することを示す情報）
Ｊ１〜Ｊ７  印刷ジョブ
ＪＣ１〜ＪＣ５  サムネイル画像
ＪＳ１  画像（印刷ジョブが実行中であることを示す情報）
ＪＳ２  画像（印刷ジョブが実行前であることを示す情報）
ＪＳ３  画像（印刷ジョブが実行前であることを示す情報）
ＳＫ  ソフトキー
【図１】
2015120291.tif 000003
【図２】
2015120291.tif 000004
【図３】
2015120291.tif 000005
【図４】
2015120291.tif 000006
【図１１】
2015120291.tif 000007
【図５】
2015120291.tif 000008
【図６】
2015120291.tif 000009
【図７】
2015120291.tif 000010
【図８】
2015120291.tif 000011
【図９】
2015120291.tif 000012
【図１０】
2015120291.tif 000013
【図１２】
2015120291.tif 000014